(57)【要約】【課題】立体表示可能な導光体を提供する。【解決手段】本発明に係る導光板２の出射面２２は、一方の目Ｅ１およびその近傍に照射される角度範囲で第１出射光Ｌ１を出射する第１地点Ｐ１、および他方の目Ｅ２およびその近傍に照射される角度範囲で第２出射光Ｌ２を出射する第２地点Ｐ２を含む。第１地点Ｐ１および一方の目Ｅ１の中心を通る直線と、第２地点Ｐ２および他方の目Ｅ２の中心を通る直線とは交差する。【選択図】図４
2018169620.tif 000002
【特許請求の範囲】
【請求項１】
側面から入射した光源からの光を反射させる第１反射パターンと、
前記第１反射パターンによって反射された後の光を出射する出射面とを備え、
前記出射面は、該出射面を観測する観測者の一方の目およびその近傍に照射される角度範囲で第１出射光を出射する第１地点、および前記観測者の他方の目およびその近傍に照射される角度範囲で第２出射光を出射する第２地点を含み、
前記第１地点および前記観測者の一方の目の中心を通る直線と、前記第２地点および前記観測者の他方の目の中心を通る直線とは交差し、
前記側面に沿って複数の光源が配置された場合に、
各光源から出射される光は、前記各光源に対応するそれぞれの前記第１地点および前記第２地点を１つの前記光源からの光が透過するように、指向性が制御されており、
前記交差する交点を複数組み合わせることにより、前記光源からの光が入射される側面から該側面に対向する対向側面に延びる直線を、見かけ上、立体表示すると共に、
前記１つの光源毎に１つの直線が立体表示されるようになっていることを特徴とする導光体。
【請求項２】
前記第１地点および前記観測者の一方の目の中心を通る直線と、前記第２地点および前記観測者の他方の目の中心を通る直線とが交差する交点は、前記出射面に対して前記観測者側に位置していることを特徴とする請求項１に記載の導光体。
【請求項３】
前記第１地点および前記観測者の一方の目の中心を通る直線と、前記第２地点および前記観測者の他方の目の中心を通る直線とが交差する交点は、前記出射面に対して前記観測者と反対側に位置することを特徴とする請求項１に記載の導光体。
【請求項４】
前記第１出射光は、前記観測者の他方の目に照射されない角度範囲で出射され、
前記第２出射光は、前記観測者の一方の目に照射されない角度範囲で出射されることを特徴とする請求項１から３までのいずれか一項に記載の導光体。
【発明の詳細な説明】
【技術分野】
【０００１】
本発明は、光源から入射する光を導光して光出射面から出射させる導光体に関するものである。
【背景技術】
【０００２】
従来、導光板の側面に配置された光源から上記導光板に光を入射させ、導光板の裏面側に設けられた反射パターンで反射させて導光板の表面から出射させる技術が知られている。
【０００３】
例えば、特許文献１には、反射パターンを導光板の裏面における所定の文字に対応する形状の領域に配置しておくことにより、導光板の表面側における上記文字に対応する領域を発光させる技術が開示されている。
【先行技術文献】
【特許文献】
【０００４】
【特許文献１】特開平１１−８５０７５号公報（１９９９年０３月３０日公開）
【発明の概要】
【発明が解決しようとする課題】
【０００５】
しかしながら、上記特許文献１の技術では、反射パターンの配置形状に応じた文字を表示させることはできるものの、この文字内の発光状態は略均一になるので、平面的な表示を行うことしかできない。そのため、十分な視覚効果が得られないという問題があった。
【０００６】
本発明は、上記課題に鑑みてなされたものであって、その目的は、図や絵柄等のオブジェクトを立体的に表示することができる導光体を提供することにある。
【課題を解決するための手段】
【０００７】
上記の課題を解決するために、本発明に係る導光体は、側面から入射した第１光源からの光を反射させる第１反射パターンと、前記第１反射パターンによって反射された後の光を出射する出射面とを備え、前記出射面は、該出射面を観測する観測者の一方の目およびその近傍に照射される角度範囲で第１出射光を出射する第１地点、および前記観測者の他方の目およびその近傍に照射される角度範囲で第２出射光を出射する第２地点を含み、前記第１地点および前記観測者の一方の目の中心を通る直線と、前記第２地点および前記観測者の他方の目の中心を通る直線とは交差し、前記側面に沿って複数の光源が配置された場合に、各光源から出射される光は、前記各光源に対応するそれぞれの前記第１地点および前記第２地点を１つの前記光源からの光が透過するように、指向性が制御されており、
前記交差する交点を複数組み合わせることにより、前記光源からの光が入射される側面から該側面に対向する対向側面に延びる直線を、見かけ上、立体表示すると共に、前記１つの光源毎に１つの直線が立体表示されるようになっていることを特徴とする。
【０００８】
上記の構成では、出射面は、第１出射光を出射する第１地点および観測者の一方の目の中心（瞳孔・水晶体）を通る直線と、第２出射光を出射する第２地点および観測者の他方の目の中心を通る直線とが交差する構成である。換言すると、第１地点から出射された第１出射光のうち観測者の一方の目によって視認された光の光軸と、第２地点から出射された第２出射光のうち観測者の他方の目によって視認された光の光軸とが交差する構成である。そのため、観測者は２つの直線が交差する交点に発光点が存在しているように知覚する。
【０００９】
よって、第１反射パターンの数や反射角度等を調整することによって、このような交点を複数組み合わせた立体的なオブジェクトを観測者に知覚させることが可能となる。
【００１０】
したがって、上記の構成によれば、図や絵柄等のオブジェクトを立体的に表示することができる導光体を実現することができる。
【００１１】
本発明に係る導光体では、前記第１地点および前記観測者の一方の目の中心を通る直線と、前記第２地点および前記観測者の他方の目の中心を通る直線とが交差する交点は、前記出射面に対して前記観測者側に位置してもよい。
【００１２】
上記構成のように、交点が出射面に対して観測者側に位置している場合、観測者には発光点が出射面よりも手前にあるように見える。
【００１３】
したがって、上記の構成によれば、飛び出し感のあるオブジェクトの立体表示が可能となる。
【００１４】
本発明に係る導光体では、前記第１地点および前記観測者の一方の目の中心を通る直線と、前記第２地点および前記観測者の他方の目の中心を通る直線とが交差する交点は、前記出射面に対して前記観測者と反対側に位置してもよい。
【００１５】
上記構成のように、交点が出射面に対して観測者と反対側に位置している場合、観測者には発光点が出射面より奥側にあるように見える。
【００１６】
上記の構成によれば、奥行き感のあるオブジェクトの立体表示が可能となる。
【００１７】
本発明に係る導光体では、前記第１出射光は、前記観測者の他方の目に照射されない角度範囲で出射され、前記第２出射光は、前記観測者の一方の目に照射されない角度範囲で出射されてもよい。
【００１８】
上記の構成では、第１出射光は観測者の一方の目のみによって視認され、第２出射光は観測者の他方の目のみによって視認される。
【００１９】
したがって、上記の構成によれば、第１出射光および第２出射光の干渉を抑制して、良好な立体表示を行うことができる。
【発明の効果】
【００２０】
以上のように、本発明によれば、図や絵柄等のオブジェクトを立体的に表示することができる導光体を提供することができるという効果を奏する。
【図面の簡単な説明】
【００２１】
【図１】図１の（ａ）は、実施形態１に係る発光装置の構成を示す上面図であり、図１の（ｂ）は図１の（ａ）に示される発光装置の断面図である。
【図２】図２は、反射パターンの反射作用を説明するための断面図である。
【図３】図３の（ａ）〜図３の（ｄ）は、反射パターンの形状の一例を示す断面図である。
【図４】図４は、出射面から出射される出射光の指向性を説明するための斜視図である。
【図５】図５は、第１地点および観測者の一方の目の中心を通る直線と、第２地点および観測者の他方の目の中心を通る直線とが交差する交点を示す斜視図である。
【図６】図６は、図１に示される発光装置の発光状態の一例を示す写真である。
【図７】図７は、発光装置の変形例を示す斜視図である。
【図８】図８の（ａ）は、発光装置の他の変形を示す上面図であり、図８の（ｂ）は、図８の（ａ）に示される発光装置の拡大断面図である。
【図９】図９は、図８に示される発光装置を示す斜視図である。
【図１０】図１０の（ａ）は、図９に示される発光装置を示す上面図であり、図１０の（ｂ）は、図１０の（ａ）に示す発光装置の拡大断面図である。
【図１１】図１１は、実施形態２に係る発光装置の構成を示す斜視図である。
【図１２】図１２の（ａ）は、実施形態３に係る発光装置の構成を示す斜視図であり、図１２の（ｂ）は、図１２の（ａ）に示される発光装置の断面図である。
【図１３】図１３の（ａ）は、実施形態４に係る発光装置の構成を示す斜視図であり、図１３の（ｂ）は、図１３の（ａ）に示される発光装置における反射パターンの配置例を示す上面図である。
【図１４】図１４は、実施形態５に係る発光装置の構成を示す斜視図である。
【図１５】図１５は、図１４に示されるマスクの拡大図である。
【図１６】図１６は、実施形態６に係る発光装置の構成を示す斜視図である。
【図１７】図１７は、図１６に示される発光装置の発光状態の一例を示す写真である。
【図１８】図１８は、実施形態７に係る発光装置の構成を示す斜視図である。
【図１９】図１９は、図１８に示される発光装置の上面図である。
【図２０】図２０は、図１９に示される発光装置の発光状態の一例を示す写真である。
【図２１】図２１は、図１８に示される発光装置の変形例を示す斜視図である。
【図２２】図２２は、図２０に示される発光装置の発光状態の一例を示す写真である。
【図２３】図２３は、実施形態８に係る発光装置の構成を示す斜視図である。
【図２４】図２４の（ａ）は図２３に示される反射パターンの形状を説明するための斜視図であり、図２４の（ｂ）はその平面図であり、図２４（ｃ）はその側面図である。
【図２５】図２５は、図２３に示される発光装置の発光状態の一例を示す写真である。
【図２６】図２６は、実施形態９に係る発光装置の構成を示す斜視図である。
【図２７】図２７は、図２６に示される発光装置の発光状態の一例を示す写真である。
【発明を実施するための形態】
【００２２】
〔実施形態１〕
本発明の実施形態について、図１〜図１０に基づいて説明すれば以下の通りである。本実施形態では、本発明に係る導光板（導光体）２を備えた発光装置１０を一例にして説明する。
【００２３】
＜発光装置１０の構成＞
図１を参照して、本実施形態に係る発光装置１０の構成について説明する。発光装置１０は、導光板２の出射面２２に、図や絵柄等のオブジェクトを立体的に表示するものである。
【００２４】
図１の（ａ）は、本実施形態に係る発光装置１０の構成を示す上面図であり、図１の（ｂ）は図１の（ａ）に示される発光装置１０の断面図である。図１の（ａ）および図１の（ｂ）に示すように、発光装置１０は、光源（第１光源）１および導光板２を備えている。
【００２５】
（光源１）
光源１は、導光板２に光を出射する発光素子である。光源１としては点光源であることが好ましく、例えば、ＬＥＤ（Light Emitting Diode）を好適に利用することができる。ただし、ＬＥＤの他、蛍光灯等の他の光源を利用してもよい。
【００２６】
本実施形態では、導光板２の対向する２つの側面２１ａ・２１ｂに沿って、複数の光源１が配置されている。ただし、側面２１ａ・２１ｂに対向して配置される光源１の数は、１つであってもよい。また、光源１は、側面２１ａ・２１ｂのうち、いずれか一方にのみ配置されていてもよい。
【００２７】
（導光板２）
導光板２は、側面２１ａ・２１ｂから入射した光源１からの光を導光し、出射面２２から出射する導光材である。導光板２は、光を全反射する材料（例えば、アクリル樹脂等）からなる透明性を有する板状の部材である。ただし、導光板２は平面で構成された形状に限られず、球面または自由曲面を含む形状であってもよい。また、本実施形態では、導光体として導光板２を用いているが、板状以外の形状、例えば円筒状等であってもよい。
【００２８】
この導光板２には、出射面２２と対向する下面（対向面）２３に、側面２１ａ・２１ｂから入射した光を正反射させる反射パターン（第１反射パターン）３が形成されている。反射パターン３は、光の入射方向に対して略垂直に伸びるＶ溝構造であり、該入射方向に複数列が並んで形成されている。なお、図面では、説明の便宜上、導光板２に形成される反射パターン３の数を実際の数よりも減じて図示している。
【００２９】
反射パターン３は、側面２１ａ・２１ｂから入射した光源１からの光を出射面２２に向けて反射する傾斜面（反射面）３ａを有している。本実施形態では、２つの側面２１ａ・２１ｂから入射した光源１からの光をそれぞれ反射するために、反射パターン３は、側面２１ａおよび側面２１ｂに対応した２つの傾斜面３ａを有している。
【００３０】
反射パターン３は、表示したオブジェクトが観測者によって立体的に知覚されるように、出射面２２上の所定の地点から、所定の指向性を有する光が出射されるように傾斜面３ａの角度等が調整されている。なお、反射パターン３および出射面２２から出射される光の指向性については後述する。 
【００３１】
＜反射パターン３の詳細＞
次に、図２および図３を参照して、反射パターン３の詳細について説明する。
【００３２】
図２は、反射パターン３の反射作用を説明するための断面図である。図２では、側面２１ａから入射した光を反射パターン３によって反射させる場合を示している。
【００３３】
図２に示すように、反射パターン３は、側面２１ａから入射した光を傾斜面３ａによって出射面２２へ向けて正反射させる。傾斜面３ａによって正反射された光は、出射面２２から強い指向性を有する出射光Ｌとして出射される。
【００３４】
図３の（ａ）〜図３の（ｄ）は、反射パターン３の形状の一例を示す断面図である。図３の（ａ）〜図３の（ｄ）の上段は反射パターン３の上面図を示し、下段は反射パターン３の断面図を示している。
【００３５】
図３の（ａ）に示すように、本実施形態では、２つの側面２１ａ・２１ｂから入射した光源１からの光をそれぞれ反射するために、反射パターン３は、２つの傾斜面３ａを有する形状としている。しかしながら、反射パターン３の断面形状およびパターン形状は、光源１の配置位置、表示するオブジェクトの種類、および観測地点（出射面２２に対する観測者の距離および角度）等に応じて適宜変更可能である。
【００３６】
例えば、光源１が導光板２の一方の側面２１ａにのみ配置されている場合、図３の（ｂ）に示すように、反射パターン３は、側面２１ａ側にのみ傾斜面３ａを有する断面形状であってもよい。
【００３７】
また、図３の（ｃ）に示すように、反射パターン３は、直線的なパターン形状ではなく、曲線的なパターン形状に形成されていてもよい。これにより、多様なオブジェクトを表示することができる。
【００３８】
さらに、図３の（ｄ）に示すように、光源１が導光板２の一方の側面２１ｂにのみ配置されている場合、図３の（ｄ）に示すように、反射パターン３は、側面２１ｂ側にのみ傾斜面３ａを有する断面形状であってもよい。
【００３９】
隣り合う反射パターン３の間隔は、人の目で反射パターン３が形成されていることを判別できない程度であることが好ましく、例えば、約３００μｍである。反射パターン３の間隔が広すぎると、表示されるオブジェクトが断片的となり、観測者がオブジェクトを立体視し難くなる。
【００４０】
なお、本実施形態では、導光板２の下面２３を切削した凹部（溝）状の反射パターン３を形成しているが、反射パターン３はこの構成に限定されない。例えば、導光板２の下面２３から突出した凸状の反射パターン３を形成してもよい。または、反射パターン３は、他の反射部材によって形成されていてもよい。
【００４１】
＜出射面２２から出射される光の指向性＞
次に、図４〜図６を参照して、出射面２２から出射される光の指向性について説明する。
【００４２】
図４は、出射面２２から出射される第１出射光Ｌ１および第２出射光Ｌ２の指向性を説明するための斜視図である。図４に示されるように、出射面２２の第１地点Ｐ１から出射される第１出射光Ｌ１は、所定の観測地点に位置する観測者の一方の目Ｅ１およびその近 
傍に照射される角度範囲で出射される。一方、出射面２２の第２地点Ｐ２から出射される第２出射光Ｌ２が同観測者の他方の目Ｅ２およびその近傍に照射される角度範囲で出射される。
【００４３】
すなわち、第１地点Ｐ１から出射される第１出射光Ｌ１は、観測者の一方の目Ｅ１によって視認されるが、他方の目Ｅ２によって視認されない。若しくは、第１出射光Ｌ１は、一方の目Ｅ１によって視認される光量に比べて、他方の目Ｅ２によって視認される光量が非常に小さくなるような指向性を有する。
【００４４】
一方、第２地点Ｐ２からの第２出射光Ｌ２は、観測者の他方の目Ｅ２によって視認されるが、一方の目Ｅ１によって視認されない。若しくは、第２出射光Ｌ２は、他方の目Ｅ２によって視認される光量に比べて、一方の目Ｅ１によって視認される光量が非常に小さくなるような指向性を有する。
【００４５】
なお、第１地点Ｐ１から出射される第１出射光Ｌ１の角度範囲（指向性）、および第２地点Ｐ２から出射される第２出射光Ｌ２の角度範囲（指向性）は、観測地点（出射面２２に対する観測者の距離および角度）に基づいて、適宜設定される。
【００４６】
図５は、第１地点Ｐ１および観測者の一方の目Ｅ１の中心を通る直線と、第２地点Ｐ２および観測者の他方の目Ｅ２の中心を通る直線とが交差する交点Ｃを示す斜視図である。
【００４７】
図５に示すように、第１地点Ｐ１および一方の目Ｅ１の中心（瞳孔・水晶体）を通る直線と、第２地点Ｐ２および他方の目Ｅ２の中心を通る直線とは、交点Ｃで交差する。換言すると、第１地点Ｐ１から出射された第１出射光Ｌ１のうち、観測者の一方の目Ｅ１によって視認された光の光軸と、第２地点Ｐ２から出射された第２出射光Ｌ２のうち、観測者の他方の目Ｅ２によって視認された光の光軸とは、交点Ｃで交差している。そのため、観測者は交点Ｃに発光点が存在しているように錯覚する。
【００４８】
交点Ｃが出射面２２に対して観測者側に位置する場合、観測者には発光点が出射面２２から飛び出して見える。一方、交点Ｃが出射面２２に対して観測者と反対側に位置する場合、観測者には発光点が出射面２２よりも奥側にあるように見える。本実施形態では、交点Ｃは、出射面２２に対して観測者と反対側に位置の下面２３の下方に位置しているため、観測者は奥行き感を知覚することになる。
【００４９】
このように、第１出射光Ｌ１が観測者の一方の目Ｅ１およびその近傍に向かう角度範囲で出射され、且つ、第２出射光Ｌ２が同観測者の他方の目Ｅ２およびその近傍に向かう角度範囲で出射されると共に、第１出射光Ｌ１の上記光軸と、第２出射光Ｌ２の上記光軸とが交点Ｃを有する場合、観測者は交点Ｃに発光点が存在しているように錯覚する。そのため、このような交点Ｃを複数組み合わせることによって、観測者は立体的なオブジェクトを知覚することができる。
【００５０】
図６は、発光装置１０の発光状態の一例を示す写真である。図６に示すように、発光装置１０では、光源１が配置された側面２１ａ・２１ｂ間（図中の左右方向）に伸びる複数の光のラインが並んだオブジェクトが出射面２２に立体的に表示される。側面２１ａ・２１ｂから伸びるラインの数が、側面２１ａ・２１ｂに配置された光源１の数に対応している。
【００５１】
表示されるオブジェクトの奥行き感は、反射パターン３による反射角度を変更することによって設計が可能である。例えば、交点Ｃにおける、第１地点Ｐ１および一方の目Ｅ１の中心を通る直線と、第２地点Ｐ２および他方の目Ｅ２の中心を通る直線とがなす角度が 
小さくなるにつれて交点Ｃの位置は出射面２２から遠ざかる。そのため、オブジェクトのうちより奥行き感があるように表示したい部分については上記角度が小さくなるように、対応する反射パターン３による反射角度を変更すればよい。
【００５２】
なお、本実施形態のように、導光板２の各側面２１ａ・２１ｂに複数の光源１が配置されている場合、各光源１から出射される光は、第１地点Ｐ１および第２地点Ｐ２を１つの光源１からの光が透過するように、各光源１から出射される光の指向性が制御されていることが好ましい。これにより、第１地点Ｐ１および第２地点Ｐ２から、特定の光源に対応した第１出射光Ｌ１および第２出射光Ｌ２を出射することができ、他の光源１からの光の干渉を抑制することができる。
【００５３】
各光源１から出射される光の指向性の制御は、例えば、各光源１と導光板２との間に、光源１から出射される光のビーム径を制御するレンズ等を配置することによって実現される。
【００５４】
＜発光装置１０の効果＞
以上のように、本実施形態に係る発光装置１０は、側面２１ａ・２１ｂから入射した光源１からの光を反射させる反射パターン３と、反射パターン３によって反射された後の光を、観測者に向けて出射する出射面２２とを有する導光板２を備え、出射面２２は、観測者の一方の目Ｅ１およびその近傍に照射される角度範囲で第１出射光Ｌ１を出射する第１地点Ｐ１、および観測者の他方の目Ｅ２およびその近傍に照射される角度範囲で第２出射光Ｌ２を出射する第２地点Ｐ２を含み、第１地点Ｐ１および観測者の一方の目Ｅ１の中心を通る直線と、第２地点Ｐ２および観測者の他方の目Ｅ２の中心を通る直線とは交差する。
【００５５】
発光装置１０では、上述の通り、第１出射光Ｌ１を出射する第１地点Ｐ１および観測者の一方の目Ｅ１の中心を通る直線と、第２出射光Ｌ２を出射する第２地点Ｐ２および観測者の他方の目Ｅ２の中心を通る直線とが交差する構成である。換言すると、第１地点から出射された第１出射光のうち、観測者の一方の目Ｅ１によって視認された光の光軸と、第２地点から出射された第２出射光のうち、観測者の他方の目Ｅ２によって視認された光の光軸とが交差する構成である。そのため、観測者は２つの直線が交差する交点Ｃに発光点が存在しているように知覚する。
【００５６】
よって、反射パターン３の数や反射角度等を調整することによって、このような交点Ｃを複数組み合わせた立体的なオブジェクトを観測者に知覚させることが可能となる。
【００５７】
したがって、本実施形態によれば、図や絵柄等のオブジェクトを導光板２によって立体的に表示することができる発光装置１０を実現することができる。
【００５８】
＜変形例＞
次に、図７〜図１０を参照して、発光装置１０の変形例について説明する。
【００５９】
図７は、発光装置の変形例を示す斜視図である。図７に示す発光装置１１のように、導光板２の発光させたい発光エリア４に反射パターン３を配置してもよい。
【００６０】
この場合、表示するオブジェクトの形状に発光エリア４が設けられる。発光エリア４には、反射パターン３が約３００μｍの間隔で複数列形成されている。
【００６１】
これにより、表示するオブジェクトに応じた発光エリア４を発光させて、多様なオブジェクトを立体的に表示することができる。 
【００６２】
図８の（ａ）は発光装置の他の変形を示す上面図であり、図８の（ｂ）は図８の（ａ）に示される発光装置１２の拡大断面図である。
【００６３】
図８に示す発光装置１２のように、断片化された反射パターン３１（第１反射パターン）が導光板２に形成されていてもよい。この場合であっても、光の入射方向に隣り合う反射パターン３１の間隔は、約３００μｍであることが好ましい。
【００６４】
図９は、発光装置１２を示す斜視図である。また、図１０の（ａ）は図９に示される発光装置１２を示す上面図であり、図１０の（ｂ）は図１０の（ａ）に示す発光装置１２の拡大断面図である。
【００６５】
図９に示すように、例えば、第１地点Ｐ１および一方の目Ｅ１の中心を通る直線と、第２地点Ｐ２および他方の目Ｅ２の中心を通る直線とがなす角度を大きくすることにより、表示するオブジェクトの奥行き感が小さくなる。この場合、図１０の（ａ）および図１０の（ｂ）に示すように、対応する反射パターン３１の光源１に対する配置角度を個別に調整し、上記角度を大きくすればよい。
【００６６】
このように、断片化された反射パターン３１によれば、光源１に対する配置角度を個別に調整して反射パターン３１による反射角度を容易に変更することができる。
【００６７】
〔実施形態２〕
本発明の他の実施形態について、図１１に基づいて説明すれば以下の通りである。なお、説明の便宜上、上記実施形態と同じ機能を有する部材には同じ符号を付し、その説明を省略する。
【００６８】
＜発光装置１３の構成＞
図１１は、本実施形態に係る発光装置１３の構成を示す斜視図である。図１１に示すように、発光装置１３は、光源１、導光板２、および集光レンズ（光学部材）５を備えている。本実施形態では、導光板２の側面２１ａ側に１つの光源１が配置されている。
【００６９】
（集光レンズ５）
集光レンズ５は、光源１から出射された光を集光する光学系である。集光レンズ５は、光源１と導光板２との間に配置されている。この集光レンズ５は、光源１から出射された光を集光して、導光板２の側面２１ａに入射させる。そのため、進行方向に対してビーム径が徐々に減少する光が、導光板２の側面２１ａに入射することになる。
【００７０】
したがって、導光板２の出射面２２と垂直な方向から見たとき、入射した光は、進行方向に対して垂直な方向の幅が徐々に減少するように導光板２内を導光する。このような光を、例えば、光の入射方向に対して略垂直な傾斜面３ａを有する反射パターン３によって反射させた場合、交点Ｃが出射面２２に対して観測者側に位置するように、第１出射光Ｌ１および第２出射光Ｌ２を出射面２２から好適に出射することができる。
【００７１】
このように、交点Ｃが出射面２２に対して観測者側に位置している場合、観測者には発光点が出射面よりも手前にあるように見える。したがって、飛び出し感のあるオブジェクトの立体表示が可能となる。
【００７２】
＜発光装置１３の効果＞
以上のように、発光装置１３は、光源１、導光板２、および光源１と導光板２との間に配置された集光レンズ５を備え、集光レンズ５は、光源１から出射された光を集光して、導光板２に入射させる。
【００７３】
したがって、本実施形態によれば、飛び出し感のあるオブジェクトの立体表示に好適な発光装置１３を実現することができる。
【００７４】
なお、表示されるオブジェクトの飛び出し量は、反射パターン３による反射角度を変更することによって設計が可能である。例えば、オブジェクトのうちより飛び出し量を大きく表示したい部分については、交点Ｃにおける、第１地点Ｐ１および一方の目Ｅ１の中心を通る直線と、第２地点Ｐ２および他方の目Ｅ２の中心を通る直線とがなす角度が大きくなるように、対応する反射パターン３による反射角度を変更すればよい。
【００７５】
〔実施形態３〕
本発明のさらに他の実施形態について、図１２に基づいて説明すれば以下の通りである。なお、説明の便宜上、上記実施形態と同じ機能を有する部材には同じ符号を付し、その説明を省略する。
【００７６】
＜発光装置１４の構成＞
図１２の（ａ）は、本実施形態に係る発光装置１４の構成を示す斜視図であり、図１２の（ｂ）は図１２の（ａ）に示される発光装置１４の断面図である。図１２の（ａ）および図１２の（ｂ）に示すように、発光装置１４は、光源１、導光板２、および回帰反射板（反射板）６を備えている。本実施形態では、導光板２の側面２１ａ側に１つの光源１が配置されている。
【００７７】
（回帰反射板６）
回帰反射板６は、導光板２の下面２３から出射した光を、出射面２２に向けて回帰反射させるものである。実施形態では、側面２１ａから入射した光をまず下面２３から出射するために、反射パターン３が導光板２の例えば出射面２２に形成されている。回帰反射板６は、導光板２の下面２３と対向して配置されており、下面２３から出射した光は回帰反射板６によって反射され、出射面２２から出射される。
【００７８】
ここで、回帰（再帰）反射とは、入射した光を入射方向へ反射することをいう。回帰反射板６によって回帰反射された光を出射面２２から出射することによって、例えば、交点Ｃが出射面２２に対して観測者側に位置するような角度範囲で第１出射光Ｌ１および第２出射光Ｌ２を好適に出射させることができる。
【００７９】
＜発光装置１４の効果＞
以上のように、発光装置１４は、光源１、導光板２、および導光板２の下面２３と対向して配置され回帰反射板６を備え、反射パターン３は、側面２１ａから入射した光を下面２３に向けて反射させ、回帰反射板６は、下面２３から出射した光を出射面２２に向けて回帰反射させる。
【００８０】
したがって、本実施形態によれば、飛び出し感のあるオブジェクトの立体表示等に好適な発光装置１４を実現することができる。
【００８１】
〔実施形態４〕
本発明のさらに他の実施形態について、図１３に基づいて説明すれば以下の通りである。なお、説明の便宜上、上記実施形態と同じ機能を有する部材には同じ符号を付し、その説明を省略する。
【００８２】
＜発光装置１５の構成＞ 
図１３の（ａ）は本実施形態に係る発光装置１５の構成を示す斜視図であり、図１３の（ｂ）は図１３の（ａ）に示される発光装置１５における反射パターン３１の配置例を示す上面図である。発光装置１５は、反射パターン３１による反射角度を調整することによって、飛び出し感のあるオブジェクトの立体表示を実現するものである。
【００８３】
図１３の（ａ）および図１３の（ｂ）に示すように、発光装置１５は、光源１、および導光板２を備えている。本実施形態では、導光板２の側面２１ａ側に１つの光源１が配置されている。
【００８４】
（導光板２）
本実施形態では、断片化された反射パターン３１が導光板２の下面２３に形成されている。この反射パターン３１は、交点Ｃが出射面２２に対して観測者側に位置するように、第１地点Ｐ１から第１出射光Ｌ１が出射され、且つ、第２地点Ｐ２からび第２出射光Ｌ２が出射されるように反射角度が調整されている。よって、集光レンズ５や回帰反射板６を用いることなく、飛び出し感のあるオブジェクトの立体表示を行うことができる。
【００８５】
＜発光装置１５の効果＞
以上のように、発光装置１５は、光源１、および導光板２を備え、導光板２に形成された反射パターン３１は、交点Ｃが出射面２２に対して観測者側に位置するようにその反射角度が調整されている。そのため、飛び出し感のあるオブジェクトの立体表示のために集光レンズ５や回帰反射板６を備える必要がないので、発光装置１５の部品数を減少させて構成を簡略化することができる。
【００８６】
したがって、本実施形態によれば、飛び出し感のあるオブジェクトの立体表示が可能な発光装置１５を低コストで実現することができる。
【００８７】
〔実施形態５〕
本発明の他の実施形態について、図１４および１５に基づいて説明すれば以下の通りである。なお、説明の便宜上、上記実施形態と同じ機能を有する部材には同じ符号を付し、その説明を省略する。
【００８８】
＜発光装置１６の構成＞
図１４は、本実施形態に係る発光装置１６の構成を示す斜視図であり、図１５は、図１４に示されるマスク７の拡大図である。図１４および図１５に示すように、発光装置１６は、光源１、導光板２、およびマスク（マスク部材）７を備えている。
【００８９】
（マスク７）
マスク７は、遮光性を有する板状部材である。マスク７は、光源１と導光板２との間に配置されており、光源１から出射された光を通過させるスリット７１を有している。
【００９０】
スリット７１は、導光板２の出射面２２に対して略直交する方向に形成されている。そのため、マスク７のスリット７１を通過した光を導光板２の側面２１ａから入射させることにより、入射する光の幅を狭くすることが可能となり、より細くシャープな光のライン（奥行き線）のオブジェクトを表示することができる。
【００９１】
このマスク７は、複数のスリット７１を有していてもよく、この場合、スリット７１の幅が異なっていてもよい。これにより、異なる幅の複数の光のライン（奥行き線）のオブジェクトを表示することができる。
【００９２】
また、スリット７１に、カラーフィルム７２が取り付けられていてもよい。これにより、光源１の色とは異なる色を用いてオブジェクトを表示することが可能となる。
【００９３】
さらに、マスク７に複数のスリット７１を設けると共に、各スリット７１に異なる色のカラーフィルム７２が取り付けてもよい。これにより、複数の色を用いてオブジェクトを表示することができる。
【００９４】
＜発光装置１６の効果＞
以上のように、発光装置１６は、光源１、導光板２、および光源１と導光板２との間に配置されたマスク７を備え、マスク７は、光源１から出射された光を通過させる少なとも１つのスリット７１を有している。
【００９５】
発光装置１６では、マスク７のスリット７１を通過した光が導光板の側面から入射するため、入射する光の幅を狭くすることが可能となる。
【００９６】
したがって、本実施形態によれば、より細くシャープな光のライン（奥行き線）のオブジェクトを表示することが可能な発光装置１６を実現することができる。
【００９７】
〔実施形態６〕
本発明の他の実施形態について、図１６〜図１９に基づいて説明すれば以下の通りである。なお、説明の便宜上、上記実施形態と同じ機能を有する部材には同じ符号を付し、その説明を省略する。
【００９８】
＜発光装置１７の構成＞
図１６は、本実施形態に係る発光装置１７の構成を示す斜視図である。図１７に示すように、発光装置１７は、光源１、導光板２、第１反射部材８および第２反射部材９を備えている。
【００９９】
（第１反射部材８）
第１反射部材８は、側面２１ａに配置された光源１からの光のうち、導光板２を導光して側面（対向側面）２１ｂに到達した光を側面２１ａ側へ反射するものである。第１反射部材８は、光源１が配置された側面２１ａと対向する導光板２の側面２１ｂに配置されている。
【０１００】
側面２１ｂに第１反射部材８を配置することにより、光源１からの光のうち反射パターン３・３１（図示省略）によって反射されずに導光板２の側面２１ｂに到達した光を、第１反射部材８によって側面２１ａ側へ反射して、再び反射パターン３・３１へ向かわせることができる。これにより、導光板２の側面２１ｂ側に疑似光源１’を配置した場合と同様の効果を得ることができ、光源１から側面に２１に到達した光を出射面２２から出射することが可能となる。したがって、発光装置１７の光の利用効率を高めることができる。
【０１０１】
（第２反射部材９）
第２反射部材９は、第１反射部材８によって反射され、導光板２を導光して側面に２１ａに到達した光を側面２１ｂ側へ反射するものである。第２反射部材９は、光源１が配置された側面２１ａに配置されている。第２反射部材９には、光源１から出射された光が導光板２の側面２１ａへ入射可能なように、光源１と対向する部分に隙間９ａが設けられており、この隙間９ａを通って、光源１から出射された光が導光板２の側面２１ａへ入射する。
【０１０２】
側面２１ａに第２反射部材９を配置することにより、第１反射部材８によって反射された光のうち反射パターン３・３１によって反射されずに導光板２の側面２１ａに戻った光を、第２反射部材９によって側面２１ｂ側へ反射して、再び反射パターン３・３１へ向かわせることができる。したがって、側面２１ａに戻った光を出射面２２から出射することが可能となるため、発光装置１７の光の利用効率をさらに高めることができる。
【０１０３】
図１７は、発光装置１７の発光状態の一例を示す写真である。図１７に示すように、発光装置１７では、例えば、光源１から側面２１ｂに伸びて側面２１ｂにおいて折り返された光のライン（奥行き線）のオブジェクトなどを出射面２２に立体的に表示することができる。
【０１０４】
＜発光装置１７の効果＞
以上のように、発光装置１７は、光源１、導光板２、第１反射部材８および第２反射部材９を備え、第１反射部材８が側面２１ｂに配置され、第２反射部材９が側面２１ｂに配置されている。
【０１０５】
発光装置１７では、光源１からの光のうち反射パターン３・３１によって反射されずに導光板２の側面２１ｂに到達した光を、第１反射部材８によって側面２１ａ側へ反射して、再び反射パターン３・３１へ向かわせることができる。
【０１０６】
また、第１反射部材８によって反射された光のうち反射パターン３・３１によって反射されずに導光板２の側面２１ａに戻った光を、第２反射部材９によって側面２１ｂ側へ反射して、再び反射パターン３・３１へ向かわせることができる。
【０１０７】
したがって、本実施形態によれば、光の利用効率を高めた発光装置１７を実現することができる。
【０１０８】
〔実施形態７〕
本発明の他の実施形態について、図１８〜２２に基づいて説明すれば以下の通りである。なお、説明の便宜上、上記実施形態と同じ機能を有する部材には同じ符号を付し、その説明を省略する。
【０１０９】
＜発光装置１８の構成＞
図１８は、本実施形態に係る発光装置１８の構成を示す斜視図である。図１８に示すように、発光装置１８は、光源１、および切欠部２４が形成された導光板２を備えている。
【０１１０】
（導光板２）
導光板２は、側面２１ａから入射した光源１からの光を導光し、出射面２２から出射する導光部材である。本実施形態では、導光板２には、光源１からの光を入射させる側面２１ａ部分に切欠部２４が形成されている。
【０１１１】
図１９は、図１８に示される発光装置１８の上面図である。図１９に示すように、光源１からの光を入射させる側面２１ａ部分に切欠部２４を形成することにより、より広い角度範囲で導光板２内を導光させることができる。したがって、光源１からの光によって出射面２２のより広い範囲を発光させて、オブジェクトを表示することができる。
【０１１２】
図２０は、図１９に示される発光装置１８の発光状態の一例を示す写真である。図２０では、２方向に略９０度の角度を成すように断片化された反射パターン３１（図示省略）を導光板２に形成した場合の発光装置１８の発光状態を示している。
【０１１３】
図２０に示すように、発光装置１８では、光源１から２方向にＶ字型に伸びる光のライン（奥行き線）のオブジェクトなどを出射面２２に立体的に表示することができる。 
【０１１４】
＜発光装置１８の効果＞
以上のように、発光装置１８は、光源１および導光板２を備え、導光板２は、光源１からの光を入射させる側面２１ａに形成された切欠部２４と、互いに異なる方向に延伸する２つ以上の列をなすように、線状に複数並べて配置された反射パターン３１とを含み、反射パターン３１は、切欠部２４から入射した光源１からの光を反射する。
【０１１５】
発光装置１８では、導光板２の側面に形成された切欠部２４から入射した光を、より広い角度範囲で導光板２内を導光させることが可能となる。
【０１１６】
したがって、本実施形態によれば、１つの光源１から出射された光によって出射面２２のより広い範囲を発光させて、オブジェクトを表示することができる。
【０１１７】
＜変形例＞
図２１は、本実施形態に係る発光装置１８の変形例を示す斜視図である。図２１に示すように、発光装置１９は、２つの光源１、および切欠部２４が形成された導光板２、第１反射部材８および第２反射部材９を備えている。
【０１１８】
発光装置１９のように、切欠部２４が形成された導光板２、第１反射部材８および第２反射部材９を組み合わせて用いてもよい。この発光装置１９は、導光板２の対向する側面２１ａ・２１ｂのそれぞれに光源１が配置されている。また、光を入射させる導光板２の側面２１ａ部分および側面２１ｂ部分に、それぞれ切欠部２４が形成されている。
【０１１９】
さらに、導光板２の側面２１ｂには第１反射部材８が配置されており、また、導光板２の側面２１ａには第２反射部材９がそれぞれ配置されている。
【０１２０】
図２２は、図２０に示される発光装置１９の発光状態の一例を示す写真である。図２２に示すように、発光装置１９では、各光源１から２方向にＶ字型に伸びる光のライン（奥行き線）が側面２１ａおよび側面２１ｂにおいて複数回折り返されたオブジェクトなどを出射面２２に立体的に表示することができる。
【０１２１】
〔実施形態８〕
本発明の他の実施形態について、図２３〜２４に基づいて説明すれば以下の通りである。なお、説明の便宜上、上記実施形態と同じ機能を有する部材には同じ符号を付し、その説明を省略する。
【０１２２】
＜発光装置２０の構成＞
図２３は、本実施形態に係る発光装置２０の構成を示す斜視図である。図２３に示すように、発光装置２０は、光源１、光源（第２光源）１０１、および反射パターン（第２反射パターン）３２がさらに形成された導光板２を備えている。
【０１２３】
（光源１０１）
光源１０１は、導光板２に光を出射する発光素子である。光源１０１は、光源１が配置された側面２１ａと略９０度の角度を成して互いに隣接する導光板２の側面（隣接側面）２１ｃ側に配置されている。この光源１０１から出射された光は、側面２１ｃから導光板２に入射して、反射パターン３２によって反射されることで、出射面２２がから出射される。
【０１２４】
（導光板２） 
導光板２は、側面２１ａから入射した光源１からの光を導光し、出射面２２から出射する導光部材である。本実施形態では、導光板２には、上述した反射パターン３・３１（図示省略）と共に、尖形の突端部ｅを有する反射パターン３２が形成されている。
【０１２５】
この反射パターン３２は、出射面２２に対して垂直な方向から見た場合、突端部ｅを側面２１ａ側に向けて配置されている。これにより、第２反射パターンは、側面２１ａから入射した光源１からの光を反射させず、当該側面２１ａと略９０度の角度を成して互いに隣接する側面２１ｃから入射した光源１０１からの光のみを反射する。
【０１２６】
図２４の（ａ）は、図２３に示される反射パターン３２の形状を説明するための斜視図であり、図２４の（ｂ）はその平面図であり、図２４（ｃ）はその側面図である。
【０１２７】
このような反射パターン３２としては、例えば、図２４の（ａ）〜（ｃ）に示すように、導光板２の出射面２２に対して垂直な方向から見た場合、光源１０１からの光の進行方向Ｄ１と直交する方向に尖形の突端部ｅが配置され、且つ、光源１０１からの光の進行方向Ｄ１と、突端部ｅに接続される反射パターン３２の反射面３３の縁端部の法線方向Ｄ２との成す角度αが−３８．３２７ｘ２＋１５２．３ｘ−９４．０１４（ｘは導光板２の屈折率）以下のものを好適に用いることができる。
【０１２８】
このような反射パターン３２を導光板２に形成することにより、反射パターン３２が側面２１ａから入射した光源１からの光によって発光することを好適に抑制することが可能となる。そのため、反射パターン３２に対応するオブジェクトを光源１０１の発光を制御することによって発光させることができる。
【０１２９】
図２５は、図２３に示される発光装置２０の発光状態の一例を示す写真である。図２５に示すように、発光装置２０では、反射パターン３２に対応するオブジェクトＩ２に対して、反射パターン３・３１に対応するオブジェクトが奥側にあるように観測者に観測させることができる。
【０１３０】
＜発光装置２０の効果＞
以上のように、発光装置２０は、光源１、光源１０１、および反射パターン（第２反射パターン）３２がさらに形成された導光板２を備えている。
【０１３１】
発光装置２０では、側面２１ａから入射した光源１からの光による反射パターン３２の発光を抑制することが可能となるため、反射パターン３・３１に対応するオブジェクトＩ１を光源１によって発光させ、反射パターン３２に対応するオブジェクトＩ２を光源１０１によって発光させることができる。
【０１３２】
したがって、本実施形態によれば、反射パターン３２に対応するオブジェクトＩ２が浮遊したような浮遊感のあるオブジェクトの立体表示が可能な発光装置２０を実現することができる。
【０１３３】
〔実施形態９〕
本発明の他の実施形態について、図２６および２７に基づいて説明すれば以下の通りである。なお、説明の便宜上、上記実施形態と同じ機能を有する部材には同じ符号を付し、その説明を省略する。
【０１３４】
＜発光装置２５の構成＞
図２６は、本実施形態に係る発光装置２５の構成を示す斜視図である。図２６に示すように、発光装置２５は、光源１、光源１０２（第１光源）、導光板２、および導光部材２６を備えている。
【０１３５】
（光源１０２）
光源１０２は、導光板２に光を出射する発光素子である。光源１０２は、光源１が配置された側面２１ａ側に、導光部材２６を介して配置されている。この光源１０２から出射された光は、導光部材２６を透過して側面２１ａから導光板２に入射する。
【０１３６】
（導光部材２６）
導光部材２６は、光源１０２と導光板２の側面２１ａとの間に配置された導光材である。導光部材２６は、導光板２と同じ材料からなり、光を全反射する材料（例えば、アクリル樹脂等）からなる。
【０１３７】
発光装置２５では、光源１０２からの光は、導光部材２６を介して導光板２の側面２１ａから入射するため、光源１０２からの光の光路を導光部材２６の分だけ長くすることができる。
【０１３８】
図２７は、図２６に示される発光装置２５の発光状態の一例を示す写真である。図２７に示すように、発光装置２５では、光源１０２からの光の光路が導光部材２６の分だけ長くなるため、導光部材２６を介さずに導光板２の側面２１ａへ直接入射させた光源１からの光に比べて、より奥側にあるように観測者に観測させることができる。
【０１３９】
＜発光装置２５の効果＞
以上のように、発光装置２５は、光源１、光源１０２、導光板２、および導光部材２６を備えている。
【０１４０】
発光装置２５では、光源１０２からの光は導光部材２６を介して導光板２の側面２１ａから入射する。そのため、導光板２の側面２１ａへ直接入射させた光源１からの光に比べて、光源１０２からの光の光路を導光部材２６の分だけ長くすることができる。
【０１４１】
したがって、本実施形態によれば、より奥行き感のあるオブジェクトの立体表示が可能な発光装置２５を実現することができる。
【０１４２】
以上のように、本発光装置は、前記導光体と、前記第１光源とを備えることを特徴とする。
【０１４３】
上記の構成によれば、図や絵柄等のオブジェクトを導光体によって立体的に表示することができる発光装置を実現することができる。
【０１４４】
本発光装置では、前記導光体の前記側面に沿って配置された複数の前記第１光源を備え、各第１光源から出射される光は、前記第１地点および第２地点を１つの前記光源からの光が透過するように、指向性が制御されていてもよい。
【０１４５】
上記の構成では、第１地点および第２地点を１つの第１光源からの光が透過するように、各第１光源から出射される光の指向性が制御されている。そのため、第１地点および第２地点から、特定の第１光源に対応した第１出射光および第２出射光を出射することができる。
【０１４６】
したがって、上記の構成によれば、他の第１光源からの光の干渉を抑制して、良好な立体表示を行うことができる。
【０１４７】
本発光装置では、前記第１光源と前記導光体との間に配置された光学部材をさらに備え、前記光学部材は、前記第１光源から出射された光を集光して、前記導光体に入射させてもよい。
【０１４８】
上記の構成では、光学部材によって集光された光が導光体に入射する。このような光を第１反射パターンによって反射した場合、上記交点が出射面に対して観測者側に位置するような角度範囲で、第１出射光および第２出射光を出射面から好適に出射させることができる。
【０１４９】
したがって、上記の構成によれば、飛び出し感のあるオブジェクトの立体表示等を好適に行うことができる。
【０１５０】
本発光装置では、前記第１光源と前記導光体との間に配置されたマスク部材をさらに備え、前記マスク部材は、前記第１光源から出射された光を通過させる少なくとも１つのスリットを有していてもよい。
【０１５１】
上記の構成では、マスク部材のスリットを通過した光が導光体の側面から入射するため、入射する光の幅を狭くすることが可能となる。
【０１５２】
したがって、上記の構成によれば、より細い線形で構成されたオブジェクトを表示することができる。
【０１５３】
本発光装置では、前記スリットに、カラーフィルムが取り付けられていてもよい。
【０１５４】
上記の構成によれば、第１光源の色とは異なる色を用いてオブジェクトを表示することが可能となる。また、例えば、マスク部材に複数のスリットを設け、各スリットに異なる色のカラーフィルムが取り付けることにより、複数の色を用いてオブジェクトを表示することができる。
【０１５５】
本発光装置では、前記第１光源が配置された前記側面と対向する前記導光体の対向側面に配置された第１反射部材をさらに備え、前記第１反射部材は、前記第１光源からの光のうち、前記導光体を導光して前記対向側面に到達した光を前記側面側へ反射してもよい。
【０１５６】
上記の構成では、第１光源からの光のうち第１反射パターンによって反射されずに導光体の対向側面に到達した光を、第１反射部材によって反射して、再び第１反射パターンへ向かわせることができる。
【０１５７】
したがって、上記の構成によれば、第１光源から出射されて対向側面に到達した光を出射面から出射することが可能となるため、光の利用効率を高めることができる。
【０１５８】
本発光装置では、前記第１光源が配置された前記側面に配置された第２反射部材をさらに備え、前記第２反射部材は、前記第１反射部材によって反射され、前記導光体を導光して前記側面に到達した光を前記対向側面側へ反射してもよい。
【０１５９】
上記の構成では、第１反射部材によって反射された光のうち第１反射パターンによって反射されずに導光体の第１光源が配置された側面に戻った光を、第２反射部材によって反射して、再び第１反射パターンへ向かわせることができる。
【０１６０】
したがって、上記の構成によれば、第１光源が配置されて側面に戻った光を出射面から出射することが可能となるため、光の利用効率をさらに高めることができる。
【０１６１】
本発光装置では、前記導光体は、前記第１光源からの光を入射させる前記側面に形成された切欠部と、互いに異なる方向に延伸する２つ以上の列をなすように、線状に複数並べて配置された前記第１反射パターンとを含み、前記第１反射パターンは、前記切欠部から入射した前記第１光源からの光を反射してもよい。
【０１６２】
上記の構成では、導光体の側面に形成された切欠部から入射した光をより広い角度範囲で導光体内を導光させることが可能となる。
【０１６３】
したがって、上記の構成によれば、１つの第１光源から出射された光によって、出射面のより広い範囲に複数の線状のオブジェクトを表示することができる。
【０１６４】
本発光装置では、前記第１光源と前記導光体との間に配置された導光部材をさらに備え、前記導光部材は、前記第１光源から出射された光を導光して、前記導光体の前記側面に入射させてもよい。
【０１６５】
上記の構成では、第１光源からの光は導光部材を介して導光体の側面から入射するため、第１光源から第１反射パターンまでの光路を導光部材の分だけ長くすることができる。
【０１６６】
したがって、上記の構成によれば、導光部材を介さずに導光体の側面へ直接入射させた場合に比べて、より奥行き感のあるオブジェクトの立体表示が可能となる。
【０１６７】
本発光装置では、前記第１光源が配置された前記導光体の前記側面と略９０度の角度を成して互いに隣接する当該導光体の隣接側面側に配置された第２光源をさらに備え、前記導光体は、前記第２光源からの光を反射させる第２反射パターンを含み、前記導光体の前記出射面に対して垂直な方向から見た場合、上記第２反射パターンは、尖形の突端部を有し、当該突端部を前記第１光源が配置された前記側面側に向けて配置されていてもよい。
【０１６８】
上記の構成では、第２反射パターンは線形の突端部が導光体の側面側に向けて配置されているため、当該側面から入射した第１光源からの光による第２反射パターンの発光を抑制することが可能となる。そのため、第１反射パターンに対応するオブジェクトと、第２反射パターンに対応するオブジェクトとを個別の光源の発光を制御することによってそれぞれ発光させることができる。よって、例えば上記交点が出射面に対して観測者と反対側に位置する場合、第２反射パターンに対応するオブジェクトに対して第１反射パターンに対応するオブジェクトが奥側にあるように観測者に観測させることができる。
【０１６９】
したがって、上記の構成によれば、第２反射パターンに対応するオブジェクトが浮遊したような浮遊感のあるオブジェクトの立体表示が可能となる。
【０１７０】
本発光装置では、前記出射面と対向する前記導光体の対向面側に配置された反射板をさらに備え、前記第１反射パターンは、前記側面から入射した光を前記対向面に向けて反射させ、前記反射板は、前記対向面から出射した光を前記出射面に向けて回帰反射させてもよい。
【０１７１】
上記の構成では、反射板によって回帰反射された光が出射面から出射される。ここで、回帰反射とは、入射した光を入射方向へ反射することをいう。反射板によって回帰反射された光を出射面から出射することによって、例えば、上記交点が出射面に対して観測者側に位置するような角度範囲で第１出射光および第２出射光を好適に出射させることができる。
【０１７２】
したがって、上記の構成によれば、飛び出し感のあるオブジェクトの立体表示等を好適に行うことができる。
【産業上の利用可能性】
【０１７３】
本発明は、光源から入射する光を導光して光出射面から出射させる導光体、およびそれを備えた発光装置に適用でき、例えば、パチンコおよびスロットマシン等に好適に搭載できる。
【符号の説明】
【０１７４】
１    光源（第１光源）
２    導光板（導光体）
３    反射パターン（第１反射パターン）
３ａ  傾斜面（反射面）
４    発光エリア
５    集光レンズ（光学部材）
６    回帰反射板（反射板）
７    マスク（マスク部材）
８    第１反射部材
９    第２反射部材
１０    発光装置
１１    発光装置 
１２    発光装置
１３    発光装置
１４    発光装置
１５    発光装置
１６    発光装置
１７    発光装置
１８    発光装置
１９    発光装置
２０    発光装置
２１ａ  側面
２１ｂ  側面（対向側面）
２１ｃ  側面（隣接側面）
２２    出射面
２４    切欠部
２５  発光装置
２６  導光部材
２３    下面（対向面）
３１    反射パターン（第１反射パターン）
３２    反射パターン（第２反射パターン）
７１    スリット
７２    カラーフィルム
１０１  光源（第２光源）
１０２  光源（第１光源）
Ｃ    交点
Ｅ１  目（一方の目）
Ｅ２  目（他方の目）
Ｌ    出射光（光）
Ｌ１  第１出射光
Ｌ２  第２出射光
Ｐ１  第１地点
Ｐ２  第２地点
【図１】
2018169620.tif 000003
【図２】
2018169620.tif 000004
【図３】
2018169620.tif 000005
【図４】
2018169620.tif 000006
【図５】
2018169620.tif 000007
【図６】
2018169620.tif 000008
【図７】
2018169620.tif 000009
【図８】
2018169620.tif 000010
【図９】
2018169620.tif 000011
【図１０】
2018169620.tif 000012
【図１１】
2018169620.tif 000013
【図１２】
2018169620.tif 000014
【図１３】
2018169620.tif 000015
【図１４】
2018169620.tif 000016
【図１５】
2018169620.tif 000017
【図１６】
2018169620.tif 000018
【図１７】
2018169620.tif 000019
【図１８】
2018169620.tif 000020
【図１９】
2018169620.tif 000021
【図２０】
2018169620.tif 000022
【図２１】
2018169620.tif 000023
【図２２】
2018169620.tif 000024
【図２３】
2018169620.tif 000025
【図２４】
2018169620.tif 000026
【図２５】
2018169620.tif 000027
【図２６】
2018169620.tif 000028
【図２７】
2018169620.tif 000029